(57)【特許請求の範囲】
【請求項１】
複数の衛星のそれぞれから、複数種類の偏波信号を受けるローノイズブロックコンバータであって、
各々の上記偏波信号を増幅する増幅部と、
上記増幅部によって増幅された上記偏波信号の各々を複数種類のバンドの中間周波数信号に変換する周波数変換部と、
上記周波数変換部から出力された上記複数種類のバンドの中間周波数信号を、上記偏波信号ごとに混合して第１の合成信号を生成し出力する第１の混合器と、
上記周波数変換部によって生成された上記第１の合成信号が個別に入力される入力端子を備え、各上記入力端子に入力された上記第１の合成信号のうちの選択したものが複数の出力端子のうちの選択したものから出力されるように、上記入力端子と上記出力端子とをつなぐ経路が選択可能な経路選択スイッチと、
上記経路選択スイッチの上記出力端子のそれぞれに対応して設けられ、上記経路選択スイッチの出力が通過するフィルタと、
上記フィルタのうちの複数の出力を混合して第２の合成信号を生成し出力する第２の混合器とを備えていることを特徴とするローノイズブロックコンバータ。
【請求項２】
上記周波数変換部よりも前段側にイメージ周波数除去用フィルタを備えていることを特徴とする請求項１に記載のローノイズブロックコンバータ。
【請求項３】
上記周波数変換部は、上記偏波信号ごとに設けられる１つ以上のミキサと、２つ以上のローカル発振器とを備え、上記偏波信号と上記ローカル発振器から出力される局部発振信号とを上記ミキサで乗算することにより上記偏波信号を上記中間周波数信号へ周波数変換することを特徴とする請求項１に記載のローノイズブロックコンバータ。
【請求項４】
上記ミキサの動作および停止を制御することが可能であることを特徴とする請求項３に記載のローノイズブロックコンバータ。
【請求項５】
上記周波数変換部は、上記ミキサの後段にフィルタを備えていることを特徴とする請求項３に記載のローノイズブロックコンバータ。
【請求項６】
上記フィルタは帯域通過フィルタであることを特徴とする請求項５に記載のローノイズブロックコンバータ。
【請求項７】
上記フィルタは低域通過フィルタであることを特徴とする請求項５に記載のローノイズブロックコンバータ。
【請求項８】
上記第１の混合器および上記第２の混合器への入力はそれぞれ電圧信号であり、
上記第１の混合器および上記第２の混合器は、複数の上記電圧信号をそれぞれ電圧電流変換して得られる電流を加算することにより、複数の上記入力を混合することを特徴とする請求項１に記載のローノイズブロックコンバータ。
【請求項９】
上記第１の混合器への入力はそれぞれ電流信号であり、
上記第１の混合器は、複数の上記電流信号を加算することにより、複数の上記入力を混合することを特徴とする請求項１に記載のローノイズブロックコンバータ。
【請求項１０】
上記第１の混合器は、上記第１の混合器への複数の入力を、ＡＣ結合あるいはＤＣ結合することにより混合することを特徴とする請求項１に記載のローノイズブロックコンバータ。
【請求項１１】
上記第１の混合器から出力された上記第１の合成信号の信号電力を調整して上記経路選択スイッチに入力する利得可変増幅器を備えていることを特徴とする請求項１に記載のローノイズブロックコンバータ。
【請求項１２】
上記経路選択スイッチにおいて経路を選択する場合に、１つの上記入力端子に対して接続される上記出力端子を複数とすることが可能であることを特徴とする請求項１に記載のローノイズブロックコンバータ。
【請求項１３】
上記経路選択スイッチにおいて経路を選択する場合に、１つの上記出力端子に対して接続される上記入力端子を複数とすることを禁止することを特徴とする請求項１に記載のローノイズブロックコンバータ。
【請求項１４】
複数の上記フィルタは、上記第１の合成信号から所定の帯域を通過させる帯域通過フィルタを含んでいることを特徴とする請求項１に記載のローノイズブロックコンバータ。
【請求項１５】
複数の上記フィルタは、上記第１の合成信号から所定の低域側帯域を通過させる低域通過フィルタを含んでいることを特徴とする請求項１に記載のローノイズブロックコンバータ。
【請求項１６】
複数の上記フィルタは、上記第１の合成信号から所定の高域側帯域を通過させる高域通過フィルタを含んでいることを特徴とする請求項１に記載のローノイズブロックコンバータ。
【請求項１７】
上記第２の混合器は、上記第２の混合器への複数の入力を、ＡＣ結合或いはＤＣ結合させることにより混合することを特徴とする請求項１に記載のローノイズブロックコンバータ。
【発明の詳細な説明】
【技術分野】
【０００１】
本発明はローノイズブロックダウンコンバータ（Low Noise Block Converter、以下、ＬＮＢと称する）に関し、特に複数の衛星の各々より送信される複数種類の偏波信号の受信に適したＬＮＢに関する。
【背景技術】
【０００２】
従来、複数の衛星から送信される複数の偏波信号を受けて、これらの偏波信号を中間周波数に変換するＬＮＢが開発されている。たとえば、特許文献１に記載のＬＮＢは、Ｎ個（Ｎ≧２）の衛星のそれぞれから、Ｍ個（Ｍ≧２）の種類の偏波信号を受け、各々が、１つの衛星に対応し、対応する衛星から受けたＭ個の種類の偏波信号の帯域を、重複しないようなＭ個の中間周波数帯域に変換するＮ個の周波数変換回路と、各々が、１つの衛星に対応し、対応する衛星からの帯域変換されたＭ個の種類の偏波信号を周波数多重化して第１の合成信号を生成するＮ個の第１の信号結合器と、Ｎ個の第１の合成信号から重複を許してＭ個の第１の合成信号を任意に選択し、選択したそれぞれの第１の合成信号から任意に１つの偏波信号を取り出し、取り出したＭ個の偏波信号を周波数多重化して第２の合成信号を生成する信号組替え回路とを備える。これにより、１つの衛星の偏波信号だけでなく、複数の衛星の偏波信号も１本のケーブルを通じて同時に出力することができる。このシステムにおける代表的な構成および動作原理は以下のようになっている。
【０００３】
図１９は特許文献１に記載のＬＮＢ１１の構成例である。
【０００４】
ＬＮＢ１１によれば、複数の衛星１２０Ａ、１２０Ｂ（例では１１０°、１１９°に位置する２つの衛星）より送信された信号の各々はアンテナ１００で受信され、フィードホーン１０１（１１０°に対して１０１Ａ、１１９°に対して１０１Ｂ）で右偏波と左偏波とに分離されて、合計４つの信号（１１０°Ｒ、１１０°Ｌ、１１９°Ｒ、１１９°Ｌ）に分波される。この偏波信号はいずれも周波数は１２．２ＧＨｚ〜１２．７ＧＨｚの帯域を持つ。
【０００５】
上記４つの信号のそれぞれは、増幅器１０２（１１０°Ｒに対しては１０２Ａ、１１０°Ｌに対しては１０２Ｂ、１１９°Ｒに対しては１０２Ｃ、１１９°Ｌに対しては１０２Ｄ）とイメージ除去用フィルタとを通されて、周波数変換器１１２に入力される。
【０００６】
ブロックコンバートを行う周波数変換器１１２は、ミキサ１０３Ａ・１０３Ｂ・１０４Ａ・１０４Ｂと２つのローカル発振器１０９Ａ・１０９Ｂとからなる。ミキサ１０３Ａは１１０°Ｌに対して、ミキサ１０３Ｂは１１９°Ｌに対して、ミキサ１０４Ａは１１０°Ｒに対して、ミキサ１０４Ｂは１１９°Ｒに対して設けられている。このように、第１ミキサは各偏波信号経路に対して１つずつの計４つで構成される。ローカル発振器１０９Ａは発振周波数が１１．２５ＧＨｚであって局部発振信号をミキサ１０３Ａ・１０３Ｂに供給し、ローカル発振器１０９Ｂは発振周波数が１４．３５ＧＨｚであって局部発振信号をミキサ１０４Ａ・１０４Ｂに供給する。
【０００７】
１１０°Ｌの信号と１１．２５ＧＨｚのローカル信号とをミキサ１０３Ａで乗算することにより１１０°Ｌの信号に対しては９５０ＭＨｚ〜１４５０ＭＨｚの中間周波数を得、１１０°Ｒの信号と１４．３５ＧＨｚのローカル信号とをミキサ１０４Ａで乗算することにより１１０°Ｒの信号に対しては１６５０ＭＨｚ〜２１５０ＭＨｚの中間周波数を得る。１１９°の衛星からの信号についても同様の経緯を経て１１９°Ｌの信号に対しては９５０ＭＨｚ〜１４５０ＭＨｚの中間周波数を得、１１９°Ｒの信号に対しては１６５０ＭＨｚ〜２１５０ＭＨｚの中間周波数を得る。
【０００８】
ミキサ１０３Ａの出力はローパスフィルタを通して第１混合器１０６Ａに入力され、ミキサ１０４Ａの出力はハイパスフィルタを通して第１混合器１０６Ａに入力される。ミキサ１０３Ｂの出力はローパスフィルタを通して第２混合器１０６Ｂに入力され、ミキサ１０４Ｂの出力はハイパスフィルタを通して第２混合器１０６Ｂに入力される。これにより、第１混合器１０６Ａおよび第２混合器１０６Ｂのそれぞれで、周波数が重複しないハイバンド（ＨＢａｎｄ）信号とローバンド（ＬＢａｎｄ）信号とが周波数多重化された第１合成信号が得られる。図１に示す例のように第１混合器１０６Ａより出力される第１合成信号のうち、９５０ＭＨｚ〜１４５０ＭＨｚの帯域は１１０°Ｌ信号、１６５０ＭＨｚ〜２１５０ＭＨｚの帯域は１１０°Ｒ信号である。また、第１混合器１０６Ｂより出力される第１合成信号のうち、９５０ＭＨｚ〜１４５０ＭＨｚの帯域は１１９°Ｌ信号、１６５０ＭＨｚ〜２１５０ＭＨｚの帯域は１１９°Ｒ信号である。
【０００９】
さらにこの第１合成信号は信号組み換え回路１１６に入力される。信号組み換え回路１１６は、Ｎ×Ｍ（図では２×４）の経路選択スイッチ１０５と、４つのパススルー機能付きの周波数変換器１１８（１１８Ａ〜１１８Ｄ）とを備えている。
【００１０】
経路選択スイッチ１０５により信号経路が設定され、入力信号をｏｕｔ１〜ｏｕｔ２のうちのどのスイッチ出力端子から出力するのかが決定される。スイッチ出力端子はそれぞれ周波数変換器１１８に接続される。周波数変換器１１８は、信号をパススルーとする経路と、ミキサ１１９（１１９Ａ〜１１９Ｄ）を通過する経路とを選択可能に構成されている。ミキサ１１９Ａ〜１１９Ｄには、ローカル発振器１１７から３．１ＧＨｚの局部発振信号が入力される。
【００１１】
周波数変換器１１８Ａの出力には、周波数多重された信号のうちハイバンド側（１６５０ＭＨｚ〜２１５０ＭＨｚ）を通過させ、ローバンド側（９５０ＭＨｚ〜１４５０ＭＨｚ）を遮断するフィルタ１０７Ａが接続され、周波数変換器１１８Ｂの出力には、逆にハイバンド側（１６５０ＭＨｚ〜２１５０ＭＨｚ）を遮断しローバンド側（９５０ＭＨｚ〜１４５０ＭＨｚ）を通過させるフィルタ１０８Ａが接続される。同じく、周波数変換器１１８Ｃの出力には、周波数多重された信号のうちハイバンド側（１６５０ＭＨｚ〜２１５０ＭＨｚ）を通過させ、ローバンド側（９５０ＭＨｚ〜１４５０ＭＨｚ）を遮断するフィルタ１０７Ｂが接続され、周波数変換器１１８Ｄの出力には、逆にハイバンド側（１６５０ＭＨｚ〜２１５０ＭＨｚ）を遮断しローバンド側（９５０ＭＨｚ〜１４５０ＭＨｚ）を通過させるフィルタ１０８Ｂが接続される。
【００１２】
この構成例では経路選択スイッチ１０５の出力端子ｏｕｔ１にはハイバンド側、出力端子ｏｕｔ２にはローバンド側、出力端子ｏｕｔ３にはハイバンド側、出力端子ｏｕｔ４にはローバンド側を通過させるフィルタが後段についたパススルー機能つき周波数変換器が接続されている。
【００１３】
また、フィルタ１０７Ａの出力およびフィルタ１０８Ａの出力は第２混合器１１０Ａに入力され、フィルタ１０７Ｂの出力およびフィルタ１０８Ｂの出力は第２混合器１１０Ｂに入力される。第２混合器１１０（１１０Ａ・１１０Ｂ）のそれぞれにおいて、ハイバンド出力信号とローバンド出力信号とを混合することで周波数多重信号を構成し、ＬＮＢ出力端子１１１（１１１Ａ・１１１Ｂ）より出力する。
【００１４】
次に、信号組み換え回路１１６の動作を具体的な例で説明する。
【００１５】
ＬＮＢ１１の出力１の信号（ＬＮＢ出力端子１１１Ａからの出力信号）として、ローバンド側が１１０°Ｌ、ハイバンド側が１１９°Ｌとなる信号を得たい場合を考える。まず、経路選択スイッチ１０５を、入力端子ｉｎ１からの入力信号が出力端子ｏｕｔ２に出力されるように設定する。また、出力端子ｏｕｔ２に接続されている周波数変換器１１８Ｂを、信号の経路がパススルーになるように設定する。周波数変換器１１８Ｂの後段に配置されたフィルタ１０８Ａの作用により、ローバンド側の信号である１１０°Ｌ信号のみが、ＬＮＢ１１の出力１に接続される第２混合器１１０Ａの第１入力端子に入力される。
【００１６】
次に、経路選択スイッチ１０５を、入力端子ｉｎ２からの入力信号が出力端子ｏｕｔ１に出力されるように設定する。また、出力端子ｏｕｔ１に接続されている周波数変換器１１８Ａを、信号がミキサ１１９Ａを経る経路となるように、すなわち３．１ＧＨｚのローカル信号で周波数変換を行うように設定する。周波数変換器１１８Ａにより、入力端子ｉｎ２においては９５０ＭＨｚ〜１４５０ＭＨｚの帯域が１１９°Ｌ信号、１６５０ＭＨｚ〜２１５０ＭＨｚの帯域が１１９°Ｒ信号であったものが、９５０ＭＨｚ〜１４５０ＭＨｚの帯域が１１９°Ｒ信号、１６５０ＭＨｚ〜２１５０ＭＨｚの帯域が１１９°Ｌ信号となる信号に変換される。周波数変換器１１８Ａの後段に配置されたフィルタ１０７Ａの作用によりハイバンド側の信号である１１９°Ｌ信号のみが、ＬＮＢ１１の出力１に接続される第２混合器１１０Ａの第２入力端子に入力される。第２混合器１１０Ａからは、ローバンド側が１１０°Ｌ、ハイバンド側が１１９°Ｌとなる目的の信号を得ることができる。
【００１７】
ＬＮＢ１１では、この例のように、経路選択スイッチ１０５による経路選択、および、周波数変換器１１８によるパススルー／周波数変換の切り替えにより、全ての組み合わせの出力を得ることができる。
【特許文献１】特開２００４−３５０１４９号公報（２００４（平成１６）年１２月９日公開）
【特許文献２】米国特許出願公開第２００４／０２０９５８４号明細書（２００４年１０月２１日公開）
【特許文献３】米国特許出願公開第２００４／０２１４５３７号明細書（２００４年１０月２８日公開）
【特許文献４】米国特許出願公開第２００４／０００５２９６号明細書（２００５年１月６日公開）
【特許文献５】米国特許出願公開第２００４／０２０９５８８号明細書（２００４年１０月２１日公開）
【発明の開示】
【発明が解決しようとする課題】
【００１８】
しかしながら、上述のＬＮＢでは、任意の偏波信号を得るためには信号組み換え回路として、周波数多重化された信号に対して再度周波数変換を行うためのミキサおよびローカル発振器を必要とするという問題がある。また、このような追加的な周波数変換が必要となれば、それだけローカル周波数の精度を得るためにＰＬＬ等の周波数調整装置を必要とする。またこのことにより、性能的には不要スプリアスの発生、消費電流の増加、消費電流増加に伴う内部温度上昇、ＮＦ（雑音指数）の劣化等の問題が生じやすくなる等の問題も発生する。
【００１９】
本発明は、上記の問題点に鑑みてなされたものであり、その目的は、周波数変換回路の規模が抑制されたＬＮＢを実現することにある。
【課題を解決するための手段】
【００２０】
本発明の参考に係るローノイズブロックコンバータは、上記課題を解決するために、複数の衛星のそれぞれから、複数種類の偏波信号を受けるローノイズブロックコンバータであって、各々の上記偏波信号を増幅する増幅部と、上記増幅部によって増幅された上記偏波信号の各々を複数種類のバンドの中間周波数信号に変換する周波数変換部と、上記周波数変換部によって生成された上記中間周波数信号が個別に入力される入力端子を備え、各上記入力端子に入力された上記中間周波数信号のうちの選択したものが複数の出力端子のうちの選択したものから出力されるように、上記入力端子と上記出力端子とをつなぐ経路が選択可能な経路選択スイッチと、上記経路選択スイッチの出力のうちの複数を混合して合成信号を生成し出力する混合器とを備えていることを特徴としている。
【００２１】
上記の発明によれば、偏波信号は増幅部により増幅されて周波数変換部による周波数変換に供せられる。周波数変換部が偏波信号から変換して得た複数種類のバンドの中間周波数信号に対して、経路選択スイッチにおいて、周波数領域が互いに重ならない複数の中間周波数信号が１つの混合器に対する入力となるように経路を選択することにより、当該混合器は、周波数領域が互いに重ならない複数のバンドを有する合成信号を生成することができる。従って、周波数変換部よりも後段で信号の周波数変換を行うことなく、周波数多重化された信号を得ることができる。
【００２２】
以上により、周波数変換回路の規模が抑制されたＬＮＢを実現することができるという効果を奏する。
【００２３】
本発明のローノイズブロックコンバータは、上記課題を解決するために、複数の衛星のそれぞれから、複数種類の偏波信号を受けるローノイズブロックコンバータであって、各々の上記偏波信号を増幅する増幅部と、上記増幅部によって増幅された上記偏波信号の各々を複数種類のバンドの中間周波数信号に変換する周波数変換部と、上記周波数変換部から出力された上記複数種類のバンドの中間周波数信号を、上記偏波信号ごとに混合して第１の合成信号を生成し出力する第１の混合器と、上記周波数変換部によって生成された上記第１の合成信号が個別に入力される入力端子を備え、各上記入力端子に入力された上記第１の合成信号のうちの選択したものが複数の出力端子のうちの選択したものから出力されるように、上記入力端子と上記出力端子とをつなぐ経路が選択可能な経路選択スイッチと、上記経路選択スイッチの上記出力端子のそれぞれに対応して設けられ、上記経路選択スイッチの出力が通過するフィルタと、上記フィルタのうちの複数の出力を混合して第２の合成信号を生成し出力する第２の混合器とを備えていることを特徴としている。
【００２４】
上記の発明によれば、偏波信号は増幅部により増幅されて周波数変換部による周波数変換に供せられる。周波数変換部は偏波信号の各々を複数種類のバンドの中間周波数信号に変換し、第１の混合器は偏波信号ごとに複数種類のバンドの中間周波数を混合して第１の合成信号を生成する。この第１の合成信号のうちの選択されたものは経路選択スイッチの選択された出力端子に出力されるが、当該出力端子に出力された第１の合成信号はフィルタを通過することによりその一部の帯域のみが残る。１つの第２の混合器に対して、周波数領域が互いに重ならない複数のフィルタの出力を入力とすることにより、各第２の混合器は、周波数領域が互いに重ならない複数のバンドを有する第２の合成信号を生成することができる。従って、周波数変換部よりも後段で信号の周波数変換を行うことなく、周波数多重化された信号を得ることができる。
【００２５】
以上により、周波数変換回路の規模が抑制されたＬＮＢを実現することができるという効果を奏する。
【００２６】
本発明のローノイズブロックコンバータは、上記課題を解決するために、上記周波数変換部よりも前段側にイメージ周波数除去用フィルタを備えていることを特徴としている。
【００２７】
上記の発明によれば、イメージ除去フィルタによりイメージ信号を除去することにより、受信性能を改善することができるという効果を奏する。
【００２８】
本発明の参考に係るローノイズブロックコンバータは、上記課題を解決するために、上記周波数変換部は、上記偏波信号ごとに設けられる２つ以上のミキサと、２つ以上のローカル発振器とを備え、上記偏波信号と上記ローカル発振器から出力される局部発振信号とを上記ミキサで乗算することにより上記偏波信号を上記中間周波数信号へ周波数変換することを特徴としている。
【００２９】
上記の発明によれば、２つ以上のミキサと２つ以上のローカル発振器とにより、偏波信号を複数種類のバンドへ周波数変換することができるという効果を奏する。
【００３０】
本発明のローノイズブロックコンバータは、上記課題を解決するために、上記周波数変換部は、上記偏波信号ごとに設けられる１つ以上のミキサと、２つ以上のローカル発振器とを備え、上記偏波信号と上記ローカル発振器から出力される局部発振信号とを上記ミキサで乗算することにより上記偏波信号を上記中間周波数信号へ周波数変換することを特徴としている。
【００３１】
上記の発明によれば、１つ以上のミキサと２つ以上のローカル発振器とにより、偏波信号を複数種類のバンドへ周波数変換することができるという効果を奏する。
【００３２】
本発明のローノイズブロックコンバータは、上記課題を解決するために、上記ミキサの動作および停止を制御することが可能であることを特徴としている。
【００３３】
上記の発明によれば、使用しないミキサを停止させることにより、消費電力を削減することができるという効果を奏する。
【００３４】
本発明のローノイズブロックコンバータは、上記課題を解決するために、上記周波数変換部は、上記ミキサの後段にフィルタを備えていることを特徴としている。
【００３５】
上記の発明によれば、周波数変換部による周波数変換によって発生した必要としない周波数成分をフィルタによって除去することができるという効果を奏する。
【００３６】
本発明のローノイズブロックコンバータは、上記課題を解決するために、上記フィルタは帯域通過フィルタであることを特徴としている。
【００３７】
上記の発明によれば、周波数変換部による周波数変換によって発生した必要としない周波数成分を帯域通過フィルタによって除去することができるという効果を奏する。
【００３８】
本発明のローノイズブロックコンバータは、上記課題を解決するために、上記フィルタは低域通過フィルタであることを特徴としている。
【００３９】
上記の発明によれば、周波数変換部による周波数変換によって発生した必要としない周波数成分を低域通過フィルタによって除去することができるという効果を奏する。
【００４０】
本発明の参考に係るローノイズブロックコンバータは、上記課題を解決するために、上記混合器への複数の入力はそれぞれ電圧信号であり、上記混合器は、複数の上記電圧信号をそれぞれ電圧電流変換して得られる電流を加算することにより、複数の上記入力を混合することを特徴としている。
【００４１】
上記の発明によれば、混合器は、複数の電圧信号を電流に変換して加算することにより入力を混合する。電流で加算を行うので、加算した時のダイナミックレンジの確保が容易となり、またその後で電流電圧変換するのに抵抗を使う場合に、抵抗値を変えることで出力電圧をコントロールすることができるという効果を奏する。
【００４２】
本発明のローノイズブロックコンバータは、上記課題を解決するために、上記第１の混合器および上記第２の混合器への入力はそれぞれ電圧信号であり、上記第１の混合器および上記第２の混合器は、複数の上記電圧信号をそれぞれ電圧電流変換して得られる電流を加算することにより、複数の上記入力を混合することを特徴としている。
【００４３】
上記の発明によれば、上記第１の混合器および上記第２の混合器は、複数の電圧信号を電流に変換して加算することにより入力を混合する。電流で加算を行うので、加算した時のダイナミックレンジの確保が容易となり、またその後で電流電圧変換するのに抵抗を使う場合に、抵抗値を変えることで出力電圧をコントロールすることができるという効果を奏する。
【００４４】
本発明の参考に係るローノイズブロックコンバータは、上記課題を解決するために、上記混合器への複数の入力はそれぞれ電流信号であり、上記混合器は、複数の上記電流信号を加算することにより、複数の上記入力を混合することを特徴としている。
【００４５】
上記の発明によれば、混合器は、複数の電流信号を加算することにより入力を混合する。電流で加算を行うので、加算した時のダイナミックレンジの確保が容易となり、またその後で電流電圧変換するのに抵抗を使う場合に、抵抗値を変えることで出力電圧をコントロールすることができるという効果を奏する。
【００４６】
本発明のローノイズブロックコンバータは、上記課題を解決するために、上記第１の混合器への入力はそれぞれ電流信号であり、上記第１の混合器は、複数の上記電流信号を加算することにより、複数の上記入力を混合することを特徴としている。
【００４７】
上記の発明によれば、第１の混合器は、複数の電流信号を加算することにより入力を混合する。電流で加算を行うので、加算した時のダイナミックレンジの確保が容易となり、またその後で電流電圧変換するのに抵抗を使う場合に、抵抗値を変えることで出力電圧をコントロールすることができるという効果を奏する。
【００４８】
本発明の参考に係るローノイズブロックコンバータは、上記課題を解決するために、上記混合器は、上記混合器への複数の入力を、ＡＣ結合あるいはＤＣ結合することにより混合することを特徴としている。
【００４９】
上記の発明によれば、単につなぐだけで電圧信号加算を行うことができるので、回路構成が間単になるという効果を奏する。
【００５０】
本発明のローノイズブロックコンバータは、上記課題を解決するために、上記第１の混合器は、上記第１の混合器への複数の入力を、ＡＣ結合あるいはＤＣ結合することにより混合することを特徴としている。
【００５１】
上記の発明によれば、単につなぐだけで電圧信号加算を行うことができるので、回路構成が間単になるという効果を奏する。
【００５２】
本発明の参考に係るローノイズブロックコンバータは、上記課題を解決するために、上記周波数変換部から出力された上記中間周波数信号の信号電力を調整して上記経路選択スイッチに入力する利得可変増幅器を備えていることを特徴としている。
【００５３】
上記の発明によれば、利得可変増幅器により、周波数変換部の出力信号を、利得可変増幅器の後段に配置された回路に対して適切な信号レベルとなるように信号電力を調整することができるという効果を奏する。
【００５４】
本発明のローノイズブロックコンバータは、上記課題を解決するために、上記第１の混合器から出力された上記第１の合成信号の信号電力を調整して上記経路選択スイッチに入力する利得可変増幅器を備えていることを特徴としている。
【００５５】
上記の発明によれば、利得可変増幅器により、周波数変換部の出力信号を、利得可変増幅器の後段に配置された回路に対して適切な信号レベルとなるように信号電力を調整することができるという効果を奏する。
【００５６】
本発明のローノイズブロックコンバータは、上記課題を解決するために、上記経路選択スイッチにおいて経路を選択する場合に、１つの上記入力端子に対して接続される上記出力端子を複数とすることが可能であることを特徴としている。
【００５７】
上記の発明によれば、経路選択スイッチにおいて１つの入力端子に対して複数の出力端子を接続することができるので、一度に複数の混合器で様々な信号の組み合わせを得ることができるという効果を奏する。
【００５８】
本発明のローノイズブロックコンバータは、上記課題を解決するために、上記経路選択スイッチにおいて経路を選択する場合に、１つの上記出力端子に対して接続される上記入力端子を複数とすることを禁止することを特徴としている。
【００５９】
本実施の形態によれば、経路選択スイッチにおいて１つの出力端子に対して複数の入力端子を接続することを禁止するので、混合器が周波数領域の重なった信号を混合してしまう虞がないという効果を奏する。
【００６０】
本発明のローノイズブロックコンバータは、上記課題を解決するために、複数の上記フィルタは、上記第１の合成信号から所定の帯域を通過させる帯域通過フィルタを含んでいることを特徴としている。
【００６１】
上記の発明によれば、帯域通過フィルタによって、第１の合成信号のうち所望の帯域のみを通過させることができるという効果を奏する。
【００６２】
本発明のローノイズブロックコンバータは、上記課題を解決するために、複数の上記フィルタは、上記第１の合成信号から所定の低域側帯域を通過させる低域通過フィルタを含んでいることを特徴としている。
【００６３】
上記の発明によれば、低域通過フィルタによって、第１の合成信号のうち所望の低域のみを通過させることができるという効果を奏する。
【００６４】
本発明のローノイズブロックコンバータは、上記課題を解決するために、複数の上記フィルタは、上記第１の合成信号から所定の高域側帯域を通過させる高域通過フィルタを含んでいることを特徴としている。
【００６５】
上記の発明によれば、高域通過フィルタによって、第１の合成信号のうち所望の高域のみを通過させることができるという効果を奏する。
【００６６】
本発明のローノイズブロックコンバータは、上記課題を解決するために、上記第２の混合器は、上記第２混合器への複数の入力を、ＡＣ結合或いはＤＣ結合させることにより混合することを特徴としている。
【００６７】
上記の発明によれば、単につなぐだけで電圧信号加算を行うことができるので、回路構成が間単になるという効果を奏する。
【発明の効果】
【００６８】
本発明のローノイズブロックコンバータは、以上のように、複数の衛星のそれぞれから、複数種類の偏波信号を受けるローノイズブロックコンバータであって、各々の上記偏波信号を増幅する増幅部と、上記増幅部によって増幅された上記偏波信号の各々を複数種類のバンドの中間周波数信号に変換する周波数変換部と、上記周波数変換部によって生成された上記中間周波数信号が個別に入力される入力端子を備え、各上記入力端子に入力された上記中間周波数信号のうちの選択したものが複数の出力端子のうちの選択したものから出力されるように、上記入力端子と上記出力端子とをつなぐ経路が選択可能な経路選択スイッチと、上記経路選択スイッチの出力のうちの複数を混合して合成信号を生成し出力する混合器とを備えている。
【００６９】
また、本発明のローノイズブロックコンバータは、以上のように、複数の衛星のそれぞれから、複数種類の偏波信号を受けるローノイズブロックコンバータであって、各々の上記偏波信号を増幅する増幅部と、上記増幅部によって増幅された上記偏波信号の各々を複数種類のバンドの中間周波数信号に変換する周波数変換部と、上記周波数変換部から出力された上記複数種類のバンドの中間周波数信号を、上記偏波信号ごとに混合して第１の合成信号を生成し出力する第１の混合器と、上記周波数変換部によって生成された上記第１の合成信号が個別に入力される入力端子を備え、各上記入力端子に入力された上記第１の合成信号のうちの選択したものが複数の出力端子のうちの選択したものから出力されるように、上記入力端子と上記出力端子とをつなぐ経路が選択可能な経路選択スイッチと、上記経路選択スイッチの上記出力端子のそれぞれに対応して設けられ、上記経路選択スイッチの出力が通過するフィルタと、上記フィルタのうちの複数の出力を混合して第２の合成信号を生成し出力する第２の混合器とを備えている。
【００７０】
以上により、周波数変換回路の規模が抑制されたＬＮＢを実現することができるという効果を奏する。
【発明を実施するための最良の形態】
【００７１】
〔実施の形態１〕
本発明の参考形態としての一実施形態について図１に基づいて説明すると以下の通りである。
【００７２】
図１に、本実施の形態に係るＬＮＢ１の構成を示す。衛星については一例として背景技術と同じものを考える。
【００７３】
ＬＮＢ１は、増幅器（増幅部）２０２（１１０°Ｒに対して２０２Ａ、１１０°Ｌに対して２０２Ｂ、１１９°Ｒに対して２０２Ｃ、１１９°Ｌに対して２０２Ｄ）、周波数変換器（周波数変換部）２１２、経路選択スイッチ２０５、および、混合器２１０（出力系統１に対して２１０Ａ、出力系統２に対して２１０Ｂ）を備えている。なお、後述するフィードホーン２０１はＬＮＢ１と一体化されていてもよい。
【００７４】
２つの衛星からのダウンリンク信号はアンテナ２００で受信され、衛星を区別して偏波信号を分離する機能を持つフィードホーン２０１（１１０°に対して２０１Ａ、１１９°に対して２０１Ｂ）に入力される。これにより各衛星の偏波信号は右偏波と左偏波とに分離されて、合計４つの信号（１１０°Ｒ、１１０°Ｌ、１１９°Ｒ、１１９°Ｌ）に分波される。この偏波信号はいずれも周波数は１２．２ＧＨｚ〜１２．７ＧＨｚの帯域を持つ。
【００７５】
分離された各偏波信号は増幅器２０２Ａ〜２０２Ｄによりそれぞれ増幅される。これら増幅器の出力は周波数変換器２１２に入力される。周波数変換器２１２は、偏波信号ごとに、ミキサ２０３（１１０°Ｒに対して２０３Ａ、１１０°Ｌに対して２０３Ｂ、１１９°Ｒに対して２０３Ｃ、１１９°Ｌに対して２０３Ｄ）を備えるローバンド周波数変換経路と、ミキサ２０４（１１０°Ｒに対して２０４Ａ、１１０°Ｌに対して２０４Ｂ、１１９°Ｒに対して２０４Ｃ、１１９°Ｌに対して２０４Ｄ）を備えるハイバンド周波数変換経路とを備えている。ミキサ２０３Ａ〜２０３Ｄには、発振周波数が１１．２５ＧＨｚのローカル発振器２０８からの局部発振信号が共通に供給される。ミキサ２０４Ａ〜２０４Ｄには、発振周波数が１４．３５ＧＨｚのローカル発振器２０９からの局部発振信号が共通に供給される。このように、各偏波信号に対応する２つのミキサには互いに異なる周波数の局部発振信号が供給される。
【００７６】
周波数変換器２１２に入力された各偏波信号は２つに分岐し、一方はローバンド周波数変換経路を通り、ローバンド側の中間周波数信号に周波数変換される。残った一方はハイバンド周波数変換経路を通り、ハイバンド側の中間周波数信号に周波数変換される。ここでは、ローバンドは９５０ＭＨｚ〜１４５０ＭＨｚであり、ハイバンドは１６５０ＭＨｚ〜２１５０ＭＨｚである。このように、各偏波信号は周波数領域が重複しない複数種類の中間周波数信号に前もってブロックコンバートされる。
【００７７】
周波数変換器２１２の各出力信号は経路選択スイッチ２０５に入力される。経路選択スイッチ２０５は、周波数変換器２１２によって生成された中間周波数信号が個別に入力される入力端子ｉｎを備え、各入力端子ｉｎに入力された中間周波数信号のうちの選択したものが複数の出力端子ｏｕｔのうちの選択したものから出力されるように、入力端子ｉｎと出力端子ｏｕｔとをつなぐ経路が選択可能なＮ×Ｍスイッチである。なお、入力端子ｉｎが差動入力端子、出力端子ｏｕｔが差動出力端子である場合は、それぞれ差動対１つを１個の入力端子、出力端子と数える。
【００７８】
ここでは、入力端子ｉｎは、１１０°Ｒのハイバンドに対してｉｎ１、１１０°Ｒのローバンドに対してｉｎ２、１１０°Ｌのハイバンドに対してｉｎ３、１１０°Ｌのローバンドに対してｉｎ４、１１９°Ｒのハイバンドに対してｉｎ５、１１９°Ｒのローバンドに対してｉｎ６、１１９°Ｌのハイバンドに対してｉｎ７、１１９°Ｌのローバンドに対してｉｎ８の計８つとなっている。また、出力端子ｏｕｔは、ｏｕｔ１〜ｏｕｔ４の計４つとなっている。そして、入力端子ｉｎ１〜ｉｎ８のそれぞれを、出力端子ｏｕｔ１〜ｏｕｔ４のいずれかに選択的につなぐことが可能となっている。例えば、入力端子ｉｎ４を出力端子ｏｕｔ１につなぎ、入力端子ｉｎ７を出力端子ｏｕｔ２につなぎ、入力端子ｉｎ１を出力端子ｏｕｔ３につなぎ、入力端子ｉｎ６を出力端子ｏｕｔ４につなぐといったことが可能である。出力端子ｏｕｔとつながれない入力端子ｉｎがあってもよい。
【００７９】
混合器２１０Ａは、経路選択スイッチ２０５の、出力端子ｏｕｔ１から出力された信号と、出力端子ｏｕｔ２から出力された信号とを混合し、混合により生成した合成信号を出力系統１の出力端子２１１Ａから出力する。混合器２１０Ｂは、経路選択スイッチ２０５の、出力端子ｏｕｔ３から出力された信号と、出力端子ｏｕｔ４から出力された信号とを混合し、混合により生成した合成信号を出力系統２の出力端子２１１Ｂから出力する。従って、出力端子ｏｕｔ１と出力端子ｏｕｔ２とで互いに周波数領域が重ならないハイバンドとローバンドとの組み合わせになるように、また、出力端子ｏｕｔ３と出力端子ｏｕｔ４とで互いに周波数領域が重ならないハイバンドとローバンドとの組み合わせになるように経路選択スイッチ２０５の経路選択設定を行うことにより、混合器２１０Ａ・２１０Ｂは周波数が重複しない信号どうしを混合することができるので、合成信号として、周波数多重化された所望の信号を得ることができる。なお、出力系統１および出力系統２のいずか一方のみから合成信号を出力するようにしてもよい。
【００８０】
このように、本実施の形態によれば、偏波信号は増幅器２０２により増幅されて周波数変換器２１２による周波数変換に供せられる。周波数変換器２０２が偏波信号から変換して得た複数種類のバンドの中間周波数信号に対して、経路選択スイッチ２０５において、周波数領域が互いに重ならない複数の中間周波数信号が１つの混合器２１０に対する入力となるように経路を選択することにより、当該混合器２１０は、周波数領域が互いに重ならない複数のバンドを有する合成信号を生成することができる。従って、周波数変換器２１２よりも後段で信号の周波数変換を行うことなく、周波数多重化された信号を得ることができる。
【００８１】
以上により、周波数変換回路の規模が抑制されたＬＮＢを実現することができる。
【００８２】
また、これにより、ＬＮＢ１は、１つの衛星の偏波信号だけでなく、複数の衛星の偏波信号も１本のケーブルを通じて同時に出力することができるという公知文献と同様の機能を持ち合わせている。
【００８３】
また、ＬＮＢ１は、周波数変換器を中間周波数信号生成用にのみ備えており、各信号経路中に周波数変換を行う箇所を１箇所しか含まないため、従来と比較して周波数変換器に用いられるミキサ回路、ローカル発振器、ローカル発振周波数安定化のために用いられるＰＬＬ周波数シンセサイザ、ＰＬＬ周波数シンセサイザ用基準水晶発振器等の回路を減らすことができる。これらの回路を削減できることにより、低消費電流化、回路規模の削減、コストの削減の効果がある。特に集積回路化を行う場合には回路規模の削減による小型化およびＩＣ周辺回路の削減が実現でき、コスト削減の効果が大きい。更に性能面では信号処理ブロックが削減されることによりノイズの発生量が抑えられ、受信装置として重要なＮＦの性能が改善される効果がある。またローカル発振器の高次高調波に起因する受信信号品質劣化現象が改善できる。またＰＬＬ回路より発生するデジタル信号処理に起因する受信信号品質の劣化が抑えられる。更に低消費電流化に伴い発熱量が抑えられるので製品寿命が長くなる等の効果が期待できる。
【００８４】
なお、衛星が３つ以上の場合や、１つの衛星の偏波信号が３種類以上ある場合についても本実施の形態が可能であることは言うまでもない。また、周波数変換器２１２が、３つ以上のバンドの中間周波数信号を生成する場合についても同様である。
〔実施の形態２〕
本発明の他の実施形態について図２および図３に基づいて説明すると以下の通りである。
【００８５】
図２に、本実施の形態に係るＬＮＢ２の構成を示す。衛星については一例として背景技術と同じものを考える。
【００８６】
ＬＮＢ２は、増幅器（増幅部）２０２（１１０°Ｒに対して２０２Ａ、１１０°Ｌに対して２０２Ｂ、１１９°Ｒに対して２０２Ｃ、１１９°Ｌに対して２０２Ｄ）、周波数変換器（周波数変換部）２１２、混合器２０６（１１０°Ｒに対して２０６Ａ、１１０°Ｌに対して２０６Ｂ、１１９°Ｒに対して２０６Ｃ、１１９°Ｌに対して２０６Ｄ）、経路選択スイッチ２２５、フィルタ２０７・２０８（２０７Ａ、２０７Ｂ、２０８Ａ、２０８Ｂ）、および、混合器２１０（出力系統１に対して２１０Ａ、出力系統２に対して２１０Ｂ）を備えている。なお、後述するフィードホーン２０１はＬＮＢ２と一体化されていてもよい。
【００８７】
２つの衛星からのダウンリンク信号はアンテナ２００で受信され、衛星を区別して偏波信号を分離する機能を持つフィードホーン２０１（１１０°に対して２０１Ａ、１１９°に対して２０１Ｂ）に入力される。これにより各衛星の偏波信号は右偏波と左偏波とに分離されて、合計４つの信号（１１０°Ｒ、１１０°Ｌ、１１９°Ｒ、１１９°Ｌ）に分波される。この偏波信号はいずれも周波数は１２．２ＧＨｚ〜１２．７ＧＨｚの帯域を持つ。
【００８８】
分離された各偏波信号は増幅器２０２Ａ〜２０２Ｄによりそれぞれ増幅される。これら増幅器の出力は周波数変換器２１２に入力される。周波数変換器２１２は、偏波信号ごとに、ミキサ２０３（１１０°Ｒに対して２０３Ａ、１１０°Ｌに対して２０３Ｂ、１１９°Ｒに対して２０３Ｃ、１１９°Ｌに対して２０３Ｄ）を備えるローバンド周波数変換経路と、ミキサ２０４（１１０°Ｒに対して２０４Ａ、１１０°Ｌに対して２０４Ｂ、１１９°Ｒに対して２０４Ｃ、１１９°Ｌに対して２０４Ｄ）を備えるハイバンド周波数変換経路とを備えている。ミキサ２０３Ａ〜２０３Ｄには、発振周波数が１１．２５ＧＨｚのローカル発振器２０８からの局部発振信号が共通に供給される。ミキサ２０４Ａ〜２０４Ｄには、発振周波数が１４．３５ＧＨｚのローカル発振器２０９からの局部発振信号が共通に供給される。このように、各偏波信号に対応する２つのミキサには互いに異なる周波数の局部発振信号が供給される。
【００８９】
周波数変換器２１２に入力された各偏波信号は２つに分岐し、一方はローバンド周波数変換経路を通り、ローバンド側の中間周波数信号に周波数変換される。残った一方はハイバンド周波数変換経路を通り、ハイバンド側の中間周波数信号に周波数変換される。ここでは、ローバンドは９５０ＭＨｚ〜１４５０ＭＨｚであり、ハイバンドは１６５０ＭＨｚ〜２１５０ＭＨｚである。このように、各偏波信号は周波数領域が重複しない複数種類の中間周波数信号に前もってブロックコンバートされる。
【００９０】
第１の混合器となる混合器２０６は、偏波信号ごとに、周波数変換器２１２から出力されたハイバンド側の中間周波数信号とローバンド側の中間周波数信号との合成信号を生成して出力する。混合器２０６Ａは、ミキサ２０４Ａから出力されたハイバンド側の中間周波数信号と、ミキサ２０３Ａから出力されたローバンド側の中間周波数信号とを混合して合成信号を生成する。混合器２０６Ｂは、ミキサ２０４Ｂから出力されたハイバンド側の中間周波数信号と、ミキサ２０３Ｂから出力されたローバンド側の中間周波数信号とを混合して合成信号を生成する。混合器２０６Ｃは、ミキサ２０４Ｃから出力されたハイバンド側の中間周波数信号と、ミキサ２０３Ｃから出力されたローバンド側の中間周波数信号とを混合して合成信号を生成する。混合器２０６Ｄは、ミキサ２０４Ｄから出力されたハイバンド側の中間周波数信号と、ミキサ２０３Ｄから出力されたローバンド側の中間周波数信号とを混合して合成信号を生成する。こうして生成された合成信号を第１合成信号とする。
【００９１】
混合器２０６の各出力信号は経路選択スイッチ２２５に入力される。経路選択スイッチ２２５は、混合器２０６によって生成された第１の合成信号が個別に入力される入力端子ｉｎを備え、各入力端子ｉｎに入力された第１の合成信号のうちの選択したものが複数の出力端子ｏｕｔのうちの選択したものから出力されるように、入力端子ｉｎと出力端子ｏｕｔとをつなぐ経路が選択可能なＮ×Ｍスイッチである。
【００９２】
ここでは、入力端子ｉｎは、１１０°Ｒに対してｉｎ１、１１０°Ｌに対してｉｎ２、１１９°Ｒに対してｉｎ３、１１９°Ｌに対してｉｎ４の計４つとなっている。また、出力端子ｏｕｔは、ｏｕｔ１〜ｏｕｔ４の計４つとなっている。そして、入力端子ｉｎ１〜ｉｎ４のそれぞれを、出力端子ｏｕｔ１〜ｏｕｔ４のうちから選択したものにつなぐことが可能となっている。例えば、入力端子ｉｎ４を出力端子ｏｕｔ２につなぎ、入力端子ｉｎ４を出力端子ｏｕｔ１につなぎ、入力端子ｉｎ１を出力端子ｏｕｔ３につなぎ、入力端子ｉｎ３を出力端子ｏｕｔ４につなぐといったことが可能である。なお、出力端子ｏｕｔにつながれない入力端子ｉｎがあってもよい。
【００９３】
フィルタ２０７Ａは、経路選択スイッチ２２５の出力端子ｏｕｔ１から出力された第１の合成信号のうちハイバンド帯域を通すハイバンド選択フィルタである。フィルタ２０８Ａは、経路選択スイッチ２２５の出力端子ｏｕｔ２から出力された第１の合成信号のうちローバンド帯域を通すローバンド選択フィルタである。フィルタ２０７Ｂは、経路選択スイッチ２２５の出力端子ｏｕｔ３から出力された第１の合成信号のうちハイバンド帯域を通すハイバンド選択フィルタである。フィルタ２０８Ｂは、経路選択スイッチ２２５の出力端子ｏｕｔ４から出力された第１の合成信号のうちローバンド帯域を通すローバンド選択フィルタである。
【００９４】
第２の混合器となる混合器２１０Ａは、フィルタ２０７Ａから出力された信号と、フィルタ２０８Ａから出力された信号とを混合し、混合により得られた合成信号を出力系統１の出力端子２１１Ａから出力する。同じく第２の混合器となる混合器２１０Ｂは、フィルタ２０７Ｂから出力された信号と、フィルタ２０８Ｂから出力された信号とを混合し、混合により得られた合成信号を出力系統２の出力端子２１１Ｂから出力する。こうして生成された合成信号を第２の合成信号とする。第２の合成信号は、互いに周波数領域が重ならないハイバンドとローバンドとの組み合わせからなるので、合成信号として、周波数多重化された所望の信号を得ることができる。なお、出力系統１および出力系統２のいずれか一方のみから第２の合成信号を出力してもよい。
【００９５】
このように、本実施の形態によれば、偏波信号は増幅器２０２により増幅されて周波数変換器２１２による周波数変換に供せられる。周波数変換器２１２は偏波信号の各々を複数種類のバンドの中間周波数信号に変換し、混合器２０６は偏波信号ごとに複数種類のバンドの中間周波数を混合して第１の合成信号を生成する。この第１の合成信号のうちの選択されたものは経路選択スイッチ２２５の選択された出力端子に出力されるが、当該出力端子に出力された第１の合成信号はフィルタ２０７あるいは２０８を通過することによりその一部の帯域のみが残る。１つの混合器２１０に対して、周波数領域が互いに重ならない複数のフィルタ２０７・２０８の出力を入力とすることにより、各混合器２１０は、周波数領域が互いに重ならない複数のバンドを有する第２の合成信号を生成することができる。従って、周波数変換器２１２よりも後段で信号の周波数変換を行うことなく、周波数多重化された信号を得ることができる。
【００９６】
以上により、周波数変換回路の規模が抑制されたＬＮＢを実現することができる。
【００９７】
また、これにより、ＬＮＢ２は、１つの衛星の偏波信号だけでなく、複数の衛星の偏波信号も１本のケーブルを通じて同時に出力することができるという公知文献と同様の機能を持ち合わせている。
【００９８】
また、ＬＮＢ２は、周波数変換器を中間周波数信号生成用にのみ備えており、各信号経路中に周波数変換を行う箇所を１箇所しか含まないため、従来と比較して周波数変換器に用いられるミキサ回路、ローカル発振器、ローカル発振周波数安定化のために用いられるＰＬＬ周波数シンセサイザ、ＰＬＬ周波数シンセサイザ用基準水晶発振器等の回路を減らすことができる。これらの回路を削減できることにより、低消費電流化、回路規模の削減、コストの削減の効果がある。特に集積回路化を行う場合には回路規模の削減による小型化およびＩＣ周辺回路の削減が実現でき、コスト削減の効果が大きい。更に性能面では信号処理ブロックが削減されることによりノイズの発生量が抑えられ、受信装置として重要なＮＦの性能が改善される効果がある。またローカル発振器の高次高調波に起因する受信信号品質劣化現象が改善できる。またＰＬＬ回路より発生するデジタル信号処理に起因する受信信号品質の劣化が抑えられる。更に低消費電流化に伴い発熱量が抑えられるので製品寿命が長くなる等の効果が期待できる。
【００９９】
なお、衛星が３つ以上の場合や、１つの衛星の偏波信号が３種類以上ある場合についても本実施の形態が可能であることは言うまでもない。また、周波数変換器２１２が、３つ以上のバンドの中間周波数信号を生成する場合についても同様である。
【０１００】
なお、衛星が３つ以上の場合や、１つの衛星の偏波信号が３種類以上ある場合についても本実施の形態が可能であることは言うまでもない。また、周波数変換器２１２が３つ以上のバンドの中間周波数信号を生成し、混合器２０６がこれらを混合して第１の合成信号を生成する場合についても同様である。
【０１０１】
次に、上記第１の合成信号を生成する他の構成例について説明する。
【０１０２】
図３に、第１の合成信号を生成するための別の構成を示す。図２では各偏波信号を別々のミキサ２０３・２０４を用いてハイバンド側とローバンド側とに周波数変換し、その後に混合器２０６によって両バンドを混合したが、図３では各偏波信号を１つのミキサを用いてハイバンド帯域とローバンド帯域との両方を有する第１の合成信号に直接変換する。ローカル発振器３０３から出力される角周波数ω１の局部発振信号と、ローカル発振器３０４から出力される角周波数ω２の局部発振信号とは混合器３０５により混合されて合成信号となり、ミキサ３０１に入力される。従って、ミキサ３０１よりも送信側を表す信号源３０２から入力される角周波数ω０の信号は、ミキサ３０１によって、角周波数ω０−ω１と角周波数ω０−ω２との２つの周波数を有する中間周波数信号に変換される。
【０１０３】
以上に述べた本実施の形態によれば、ＬＮＢ２は、偏波信号ごとに設けられる１つ以上のミキサと、２つ以上のローカル発振器とを備え、偏波信号とローカル発振器から出力される局部発振信号とをミキサで乗算することにより偏波信号を中間周波数信号へ周波数変換する。１つ以上のミキサと２つ以上のローカル発振器とにより、偏波信号を複数種類のバンドへ周波数変換することができる。
〔実施の形態３〕
本発明の他の実施形態について図４に基づいて説明すると以下の通りである。
【０１０４】
図４（ａ）に、本実施の形態のＬＮＢの一部を示す。これは、図１のＬＮＢ１あるいは図２のＬＮＢ２の周波数変換器２１２よりも前段側に、イメージ除去フィルタ２１３を備える構成である。同図では、特に、イメージ除去フィルタ２１３の入力は増幅器２０２の出力に接続され、イメージ除去フィルタ２１３の出力は周波数変換器２１２の入力に接続されている。
【０１０５】
周波数変換器２１２において、例えばミキサ２０４とローカル発振器２０９との組み合わせを図示してあるが、所望中間周波数をｆＩＦ、ローカル周波数をｆＬＯとする。このとき、所望中間周波数ｆＩＦを得ることのできる入力周波数はｆＩＮ＝ｆＬＯ＋ｆＩＦとｆＩＮ＝ｆＬＯ−ｆＩＦの２つが存在する。図４（ｂ）に示すように、衛星からの偏波信号がｆＩＮ＝ｆＬＯ＋ｆＩＦになるようにｆＬＯを決めた場合、ｆＬＯ−ｆＩＦの周波数に位置するノイズを含めた信号は受信系にとって妨害波になるため、これをイメージ除去フィルタ２１３により除去することにより受信性能を改善している。
〔実施の形態４〕
本発明の他の実施形態について図５および図６に基づいて説明すると以下の通りである。
【０１０６】
図５に、本実施の形態に係るＬＮＢ３の構成を示す。ＬＮＢ３は、図１のＬＮＢ１において、使用しないミキサの動作を停止させることを可能とするために、各ミキサをスイッチ制御する構成としたものである。スイッチとしては、例えばミキサの定電流源の電流をＯＮ／ＯＦＦするスイッチが考えられる。ミキサを使用するときはミキサはスイッチのＯＮにより動作し、ミキサを使用しないときはミキサはスイッチのＯＦＦにより動作を停止する。
【０１０７】
また、経路選択スイッチ２０５の出力端子ｏｕｔ１と混合器２１０Ａとの間にはハイバンド選択フィルタとなるフィルタ２０７Ａ、経路選択スイッチ２０５の出力端子ｏｕｔ２と混合器２１０Ａとの間にはローバンド選択フィルタとなるフィルタ２０８Ａ、経路選択スイッチ２０５の出力端子ｏｕｔ３と混合器２１０Ｂとの間にはハイバンド選択フィルタとなるフィルタ２０７Ｂ、経路選択スイッチ２０５の出力端子ｏｕｔ４と混合器２１０Ｂとの間にはローバンド選択フィルタとなるフィルタ２０８Ｂが備えられている。
【０１０８】
例えば、出力系統２から出力する信号が無く、出力系統２から合成信号としてローバンド側に１１０°Ｌ、ハイバンド側に１１０°Ｒの信号を含むものを得たい場合を想定する。所望の信号を得るには、アンテナ２００→フィードホーン２０１Ａ→増幅器２０２Ａ→ミキサ２０４Ａ→経路選択スイッチ２０５（ｉｎ１とｏｕｔ１との間を経路として設定）→フィルタ２０７Ａ→混合器２１０Ａ→出力端子２１１Ａの経路と、アンテナ２００→フィードホーン２０１Ａ→増幅器２０２Ｂ→ミキサ２０３Ｂ→経路選択スイッチ２０５（ｉｎ４とｏｕｔ２との間を経路として設定）→フィルタ２０８Ａ→混合器２１０Ａ→出力端子２１１Ａの経路とを使用する。このときに使用されていないミキサである２０３Ａ、２０３Ｃ、２０３Ｄ、２０４Ｂ、２０４Ｃ、および２０４Ｄを停止させるようにスイッチ制御することにより消費電力を削減することができる。
【０１０９】
図６に、出力系統１から所望の合成信号を得る場合の、各経路に対する各ミキサのＯＮ／ＯＦＦの組み合わせを示す。
【０１１０】
なお、図２のＬＮＢ２においても、上記スイッチ制御を行うことができる。
〔実施の形態５〕
本発明の他の実施形態について図７ないし図９に基づいて説明すると以下の通りである。
【０１１１】
図７に、本実施の形態に係るＬＮＢの一部を示す。このＬＮＢは、図１のＬＮＢ１あるいは図２のＬＮＢ２において、各ミキサの後段にフィルタ２１４を備えた構成である。
【０１１２】
フィルタ２１４の入力はミキサ２０３・２０４のそれぞれの出力に接続される。図７において、周波数変換器２１２には、例えばミキサ２０４とローカル発振器２０９との組み合わせを図示してある。ここで、所望中間周波数がｆＩＦ、ローカル周波数がｆＬＯ、衛星からの偏波信号がｆＩＮであるとすると、周波数変換器２１２により、ｆＩＮ−ｆＬＯである差成分とｆＩＮ＋ｆＬＯである和成分とが生成される。このうち必要としない成分が、フィルタ２１４によって除去される。
【０１１３】
図８は、上述の周波数関係を示す図である。所望の信号がｆＩＮ−ｆＬＯである差成分であるとすると、フィルタ２１４として、所望の信号を通過させ、不要な和成分を除去するような特性を持つ帯域通過フィルタを配置することにより所望中間周波数ｆＩＦを得ることができる。
【０１１４】
図９も、上述の周波数関係を示す図である。所望の信号がｆＩＮ−ｆＬＯである差成分であるとすると、フィルタ２１４として、所望の信号を通過させ、不要な和成分を除去するような特性を持つ低域通過フィルタを配置することにより所望中間周波数ｆＩＦを得ることができる。
〔実施の形態６〕
本発明の他の実施形態について図１０に基づいて説明すると以下の通りである。
【０１１５】
図１０に、図１および図２の混合器２１０、および、図２の混合器２０６の具体的構成を示す。
【０１１６】
混合器２１０・２０６は、第１の電圧電流変換部３５１、第２の電圧電流変換部３５２、電流加算部３５３、および、電流電圧変換部３５４を備えている。
【０１１７】
第１の電圧電流変換部３５１は、差動入力電圧Ｖｉｎ１が入力される差動対を構成するＮＰＮ型のトランジスタ３０１・３０２と、当該差動対に流す電流の和Ｉ０を定める定電流源３０５とを備える差動増幅器として構成される。第２の電圧電流変換部３５２は、差動入力電圧Ｖｉｎ２が入力される差動対を構成するＮＰＮ型のトランジスタ３０３・３０４と、当該差動対に流す電流の和Ｉ０を定める定電流源３０６とを備える差動増幅器として構成される。
【０１１８】
電流加算部３５３は、第１の電圧電流変換部３５１の２つの出力端子と第２の電圧電流変換部３５２の２つの出力端子との一方どうしと他方どうしとが接続されることにより、トランジスタ３０１のコレクタ電流とトランジスタ３０３のコレクタ電流との加算を行うように、かつ、トランジスタ３０２のコレクタ電流とトランジスタ３０４のコレクタ電流との加算を行うように、構成されたものである。電流電圧変換部３５４は、電流加算部３５３の出力電流を抵抗３０７・３０８の抵抗値Ｒで電流電圧変換して差動出力し混合器２１０・２０６の出力電圧Ｖｏｕｔとする。
【０１１９】
Ｖｉｎ１＝Ａｓｉｎω１ｔ、Ｖｉｎ２＝Ａｓｉｎω２ｔとすると、混合器出力は以下の式で表される。
【０１２０】
【数１】
0004429984.tif 000002
【０１２１】
ここでＶＴは熱電圧であり、ＶＴ＝ｋＴ／ｑ（ｑ：クーロン量、ｋ：ボルツマン定数、Ｔ：絶対温度）で表される。
【０１２２】
このように、本実施の形態によれば、混合器２１０・２０６は、複数の電圧信号を電流に変換して加算することにより入力を混合する。電流で加算を行うので、加算した時のダイナミックレンジの確保が容易となり、またその後で電流電圧変換するのに抵抗を使う場合に、抵抗値を変えることで出力電圧をコントロールすることができる。
〔実施の形態７〕
本発明の他の実施形態について図１１に基づいて説明すると以下の通りである。
【０１２３】
図１１に、図１のＬＮＢ１における混合器２１０での混合、図２のＬＮＢ２における混合器２０６での混合を行うための具体的構成を、２つのミキサ２０３・２０４と混合器２１０あるいは２０６とを備える回路として示す。
【０１２４】
上記回路は、第１の電流出力周波数変換器４５１、第２の電流出力周波数変換器４５２、電流加算部４５３、および、電流電圧変換部４５４を備えている。第１の電流出力周波数変換器４５１と第２の電流出力周波数変換器４５２とは、ミキサ２０３・２０４の一方と他方とに相当する。電流加算部４５３および電流電圧変換部４５４は混合器２１０あるいは２０６に相当している。ただし、混合器２１０の場合には、電流加算部４５３の前段に経路選択スイッチ２０５の経路が挿入される。
【０１２５】
第１の電流出力周波数変換器４５１は、ギルバート型乗算器として構成され、周波数変換される信号ＶＩＮ０が入力される差動対を構成するＮＰＮ型のトランジスタ４０１・４０２と、当該差動対に流す電流の和Ｉ０を定める定電流源４１６と、トランジスタ４０１のコレクタに接続されて局部発振信号ＶＬＯ１が入力される差動対を構成するＮＰＮ型のトランジスタ４０３・４０４と、トランジスタ４０２のコレクタに接続されて局部発振信号ＶＬＯ１が入力される差動対を構成するＮＰＮ型のトランジスタ４０５・４０６とを備えている。
【０１２６】
第２の電流出力周波数変換器４５２は、ギルバート型乗算器として構成され、周波数変換される信号ＶＩＮ０が入力される差動対を構成するＮＰＮ型のトランジスタ４０７・４０８と、当該差動対に流す電流の和Ｉ０を定める定電流源４１７と、トランジスタ４０７のコレクタに接続されて局部発振信号ＶＬＯ２が入力される差動対を構成するＮＰＮ型のトランジスタ４０９・４１０と、トランジスタ４０８のコレクタに接続されて局部発振信号ＶＬＯ２が入力される差動対を構成するＮＰＮ型のトランジスタ４１１・４１２とを備えている。
【０１２７】
電流加算部４５３は、第１の電流出力周波数変換器４５１の２つの出力端子と第２の電流出力周波数変換器４５２の２つの出力端子との一方どうしと他方どうしとが接続されることにより、トランジスタ４０３とトランジスタ４０５とのコレクタ電流の和と、トランジスタ４０９とトランジスタ４１１とのコレクタ電流の和との加算を行うように、かつ、トランジスタ４０４とトランジスタ４０６とのコレクタ電流の和と、トランジスタ４１０とトランジスタ４１２とのコレクタ電流の和との加算を行うように構成されたものである。電流電圧変換部４５４は、電流加算部４５３の出力電流を抵抗４１４・４１５の抵抗値Ｒで電流電圧変換して差動出力し混合器２１０・２０６の出力電圧Ｖｏｕｔとする。
【０１２８】
Ｖｉｎ０＝Ａｓｉｎω０ｔ、ＶＬＯ１＝ＢｓｉｎωＬ１ｔ、ＶＬＯ２＝ＢｓｉｎωＬ２ｔとすると混合器出力は以下の式で表される。
【０１２９】
【数２】
0004429984.tif 000003
【０１３０】
このうち周波数和成分を除去し、ω０−ωＬ１＝ω１、ω０−ωＬ２＝ω２として式を整理すると、
【０１３１】
【数３】
0004429984.tif 000004
【０１３２】
となる。
【０１３３】
このように、本実施の形態によれば、混合器２１０・２０６は、複数の電流信号を加算することにより入力を混合する。電流で加算を行うので、加算した時のダイナミックレンジの確保が容易となり、またその後で電流電圧変換するのに抵抗を使う場合に、抵抗値を変えることで出力電圧をコントロールすることができる。
〔実施の形態８〕
本発明の他の実施形態について図１２に基づいて説明すると以下の通りである。
【０１３４】
図１２（ａ）・（ｂ）に、混合器２１０・２０６が複数の入力をＡＣ結合あるいはＤＣ結合することにより、複数の入力を混合する構成を示す。
【０１３５】
入力信号をＶｉｎ１＝Ａｓｉｎω１ｔ、Ｖｉｎ２＝Ａｓｉｎω２ｔとすると出力信号は、
【０１３６】
【数４】
0004429984.tif 000005
【０１３７】
となる。
【０１３８】
本実施の形態によれば、単につなぐだけで電圧信号加算を行うことができるので、回路構成が間単になる。
〔実施の形態９〕
本発明の他の実施形態について図１３に基づいて説明すると以下の通りである。
【０１３９】
図１３に、本実施の形態に係るＬＮＢ４の構成を示す。
【０１４０】
ＬＮＢ４は、図５のＬＮＢ３に利得可変増幅器２１５（２１５Ａ〜２１５Ｈ）を追加した構成である。利得可変増幅器２１５は、周波数変換器２１２と経路選択スイッチ２０５との間に設けられている。これにより、利得可変増幅器２１５は、周波数変換器２１２の出力信号が、利得可変増幅器２１５の後段に配置された回路に対して適切な信号レベルとなるように信号電力を調整する。
【０１４１】
利得可変増幅器２１５Ａは、ミキサ２０４Ａから出力された信号を増幅して経路選択スイッチ２０５の入力端子ｉｎ１に入力する。利得可変増幅器２１５Ｂは、ミキサ２０３Ａから出力された信号を増幅して経路選択スイッチ２０５の入力端子ｉｎ２に入力する。利得可変増幅器２１５Ｃは、ミキサ２０４Ｂから出力された信号を増幅して経路選択スイッチ２０５の入力端子ｉｎ３に入力する。利得可変増幅器２１５Ｄは、ミキサ２０３Ｂから出力された信号を増幅して経路選択スイッチ２０５の入力端子ｉｎ４に入力する。利得可変増幅器２１５Ｅは、ミキサ２０４Ｃから出力された信号を増幅して経路選択スイッチ２０５の入力端子ｉｎ５に入力する。利得可変増幅器２１５Ｆは、ミキサ２０３Ｃから出力された信号を増幅して経路選択スイッチ２０５の入力端子ｉｎ６に入力する。利得可変増幅器２１５Ｇは、ミキサ２０４Ｄから出力された信号を増幅して経路選択スイッチ２０５の入力端子ｉｎ７に入力する。利得可変増幅器２１５Ｈは、ミキサ２０３Ｄから出力された信号を増幅して経路選択スイッチ２０５の入力端子ｉｎ８に入力する。
〔実施の形態１０〕
本発明の他の実施形態について図１４に基づいて説明すると以下の通りである。
【０１４２】
図１４に、本実施の形態に係るＬＮＢ５の構成を示す。
【０１４３】
ＬＮＢ５は、図２のＬＮＢ２に利得可変増幅器２３５（２３５Ａ〜２３５Ｄ）を追加した構成である。利得可変増幅器２３５は、混合器２０６と経路選択スイッチ２０５との間に設けられている。これにより、利得可変増幅器２３５は、混合器２０６の出力信号が、利得可変増幅器２３５の後段に配置された回路に対して適切な信号レベルとなるように信号電力を調整する。
【０１４４】
利得可変増幅器２３５Ａは、混合器２０６Ａから出力された信号を増幅して経路選択スイッチ２０５の入力端子ｉｎ１に入力する。利得可変増幅器２３５Ｂは、混合器２０６Ｂから出力された信号を増幅して経路選択スイッチ２０５の入力端子ｉｎ２に入力する。利得可変増幅器２３５Ｃは、混合器２０６Ｃから出力された信号を増幅して経路選択スイッチ２０５の入力端子ｉｎ３に入力する。利得可変増幅器２３５Ｄは、混合器２０６Ｄから出力された信号を増幅して経路選択スイッチ２０５の入力端子ｉｎ４に入力する。
〔実施の形態１１〕
本発明の他の実施形態について図１５に基づいて説明すると以下の通りである。
【０１４５】
図１５に、経路選択スイッチ２０５における経路選択例を示す。なお、同図は図５のＬＮＢ３の経路選択スイッチ２０５における経路選択例であるが、他のＬＮＢにおける経路選択スイッチ２０５・２２５にも適用可能である。また、説明を簡略化するために経路選択スイッチ２０５の入力端子を４つとしている。
【０１４６】
図１５のように、経路選択スイッチ２０５の入力端子ｉｎ１にハイバンドの１１０°Ｒが入力され、入力端子ｉｎ２にローバンドの１１０°Ｒが入力され、入力端子ｉｎ３にハイバンドの１１０°Ｌが入力され、入力端子ｉｎ４にローバンドの１１０°Ｌが入力されているとする。出力系統１からローバンド１１０°Ｒ＋ハイバンド１１０°Ｒの周波数多重化された合成信号を得るとともに、出力系統２からローバンド１１０°Ｌ＋ハイバンド１１０°Ｒの周波数多重化された合成信号を得ることを所望する場合、経路選択スイッチ２０５の経路選択としては、ｉｎ１−ｏｕｔ１間の経路と、ｉｎ１−ｏｕｔ３間の経路と、ｉｎ２−ｏｕｔ２間の経路と、ｉｎ４−ｏｕｔ４間の経路とを形成することになる。
【０１４７】
故に、ｉｎ１のように、１つの入力端子に対し複数の出力端子が接続されることがあり、このような経路選択を許容する。
【０１４８】
本実施の形態によれば、経路選択スイッチにおいて１つの入力端子に対して複数の出力端子を接続することができるので、一度に複数の混合器で様々な信号の組み合わせを得ることができる。
〔実施の形態１２〕
本発明の他の実施形態について図１６に基づいて説明すると以下の通りである。
【０１４９】
図１６に、経路選択スイッチ２０５における経路選択禁止例を示す。なお、同図は図５のＬＮＢ３の経路選択スイッチ２０５における経路選択例であるが、他のＬＮＢにおける経路選択スイッチ２０５・２２５にも適用可能である。また、説明を簡略化するために経路選択スイッチ２０５の入力端子を４つとしている。
【０１５０】
図１６のように、経路選択スイッチ２０５の入力端子ｉｎ１にハイバンドの１１０°Ｒが入力され、入力端子ｉｎ２にローバンドの１１０°Ｒが入力され、入力端子ｉｎ３にハイバンドの１１０°Ｌが入力され、入力端子ｉｎ４にローバンドの１１０°Ｌが入力されているとする。出力系統１からローバンド１１０°Ｒ＋ハイバンド１１０°Ｒの周波数多重化された合成信号を得るとともに、出力系統２からローバンド１１０°Ｌ＋ハイバンド１１０°Ｒの周波数多重化された合成信号を得ることを所望する場合、経路選択スイッチ２０５の経路選択としては、ｉｎ１−ｏｕｔ１間の経路と、ｉｎ１−ｏｕｔ３間の経路と、ｉｎ２−ｏｕｔ２間の経路と、ｉｎ４−ｏｕｔ４間の経路とを形成することになる。しかしながら、ｉｎ３−ｏｕｔ１間を更に接続すると、出力端子ｏｕｔ１には１１０°Ｒのハイバンドと１１０°Ｌのハイバンドという周波数の重複した信号が出力されるため、所望の信号を得ることができなくなる。
【０１５１】
故に１つの出力端子に対し複数の入力端子が接続されることを禁止する。
【０１５２】
本実施の形態によれば、経路選択スイッチにおいて１つの出力端子に対して複数の入力端子を接続することを禁止するので、混合器が周波数領域の重なった信号を混合してしまう虞がない。
〔実施の形態１３〕
本発明の他の実施形態について図１７に基づいて説明すると以下の通りである。
【０１５３】
図１７に、本実施の形態に係るＬＮＢ６の構成を示す。ＬＮＢ６は、図１４のＬＮＢ５におけるフィルタ２０７Ａ・２０７Ｂ・２０８Ａ・２０８Ｂを帯域通過フィルタ（ＢＰＦ）としたものである。
【０１５４】
経路選択スイッチ２２５からは周波数多重化された第１の合成信号が出力され、これらはローバンドとハイバンドとの両方の周波数領域を含むことがある。この第１の合成信号から所望の周波数帯のみを抽出するために、フィルタ２０７Ａ・２０７Ｂ・２０８Ａ・２０８Ｂとして、上記のように所望の帯域のみを通過させるＢＰＦを用いる。図１７では、ハイバンドのみを通過させるＢＰＦで構成したフィルタ２０７（２０７Ａ・２０７Ｂ）と、ローバンドのみを通過させるＢＰＦで構成したフィルタ２０８（２０８Ａ・２０８Ｂ）とに信号を通過させることで、混合器２１０に入力される周波数領域が重複しないようにして所望の第２の合成信号を出力端子２１１から取り出す。
【０１５５】
なお、本実施の形態は図２のＬＮＢ２にも適用することができる。
〔実施の形態１４〕
本発明の他の実施形態について図１８に基づいて説明すると以下の通りである。
【０１５６】
図１８に、本実施の形態に係るＬＮＢ７の構成を示す。ＬＮＢ７は、図１４のＬＮＢ５におけるフィルタ２０７Ａ・２０７Ｂを高域通過フィルタ（ＨＰＦ）、フィルタ２０８Ａ・２０８Ｂを低域通過フィルタ（ＬＰＦ）としたものである。
【０１５７】
経路選択スイッチ２２５からは周波数多重化された第１の合成信号が出力され、これらはローバンドとハイバンドとの両方の周波数領域を含むことがある。この第１の合成信号から所望の周波数帯のみを抽出するために、フィルタ２０７Ａ・２０７Ｂ・２０８Ａ・２０８Ｂとして所望の帯域を通過させ、不要な帯域を遮断するＨＰＦとＬＰＦとを用いる。
【０１５８】
図１８では、ハイバンドを通過させローバンドを遮断するＨＰＦとして構成したフィルタ２０７（２０７Ａ・２０７Ｂ）と、ローバンドを通過させハイバンドを遮断するＬＰＦとして構成したフィルタ２０８（２０８Ａ・２０８Ｂ）に信号を通過させることで、混合器２１０に入力される周波数領域が重複しないようにして所望の高域と低域とからなる第２の合成信号を出力端子２１１から取り出す。
【０１５９】
なお、本実施の形態は図２のＬＮＢ２にも適用することができる。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６１】
本発明は衛星からの信号の受信機に好適に用いることができる。
【図面の簡単な説明】
【０１６２】
【図１】本発明の実施形態１を示すものであり、ＬＮＢの要部構成を示すブロック図である。
【図２】本発明の実施形態２を示すものであり、ＬＮＢの要部構成を示すブロック図である。
【図３】図２のＬＮＢにおける第１の合成信号を生成する構成の変形例を示すブロック図である。
【図４】本発明の実施形態３を示すものであり、ＬＮＢの一部の構成を示すブロック図である。
【図５】本発明の実施形態４を示すものであり、ＬＮＢの要部構成を示すブロック図である。
【図６】図５のＬＮＢにおけるスイッチ制御のパターンを示す図である。
【図７】本発明の実施形態５を示すものであり、ＬＮＢの一部の構成を示すブロック図である。
【図８】図７の動作を説明するための第１の信号スペクトルを示す図である。
【図９】図７の動作を説明するための第２の信号スペクトルを示す図である。
【図１０】本発明の実施形態６を示すものであり、ＬＮＢの一部の構成を示すブロック図である。
【図１１】本発明の実施形態７を示すものであり、ＬＮＢの一部の構成を示すブロック図である。
【図１２】本発明の実施形態８を示すものであり、ＬＮＢの一部の構成を示すブロック図である。
【図１３】本発明の実施形態９を示すものであり、ＬＮＢの要部構成を示すブロック図である。
【図１４】本発明の実施形態１０を示すものであり、ＬＮＢの要部構成を示すブロック図である。
【図１５】本発明の実施形態１１を示すものであり、ＬＮＢの一部の構成を示すブロック図である。
【図１６】本発明の実施形態１２を示すものであり、ＬＮＢの一部の構成を示すブロック図である。
【図１７】本発明の実施形態１３を示すものであり、ＬＮＢの要部構成を示すブロック図である。
【図１８】本発明の実施形態１４を示すものであり、ＬＮＢの要部構成を示すブロック図である。
【図１９】従来技術を示すものであり、ＬＮＢの要部構成を示すブロック図である。
【符号の説明】
【０１６３】
１〜７            ＬＮＢ（ローノイズブロックコンバータ）
２０２（２０２Ａ〜２０２Ｄ）
増幅器（増幅部）
２１２            周波数変換器（周波数変換部）
２０５、２２５    経路選択スイッチ
２１０（２１０Ａ、２１０Ｂ）
混合器（混合器、第２の混合器）
２０６（２０６Ａ〜２０６Ｄ）
混合器（第１の混合器）
【図１】
0004429984.tif 000006
【図２】
0004429984.tif 000007
【図３】
0004429984.tif 000008
【図４】
0004429984.tif 000009
【図５】
0004429984.tif 000010
【図６】
0004429984.tif 000011
【図７】
0004429984.tif 000012
【図８】
0004429984.tif 000013
【図９】
0004429984.tif 000014
【図１０】
0004429984.tif 000015
【図１１】
0004429984.tif 000016
【図１２】
0004429984.tif 000017
【図１３】
0004429984.tif 000018
【図１４】
0004429984.tif 000019
【図１５】
0004429984.tif 000020
【図１６】
0004429984.tif 000021
【図１７】
0004429984.tif 000022
【図１８】
0004429984.tif 000023
【図１９】
0004429984.tif 000024